(57)【要約】      （修正有）【課題】畜産用の空気のウルトラファインバブル水を製造し常時各動物個体へ自動供給配水する装置を提供する。【解決手段】水道蛇口から供給する水で自動給配水する場合の装置のシステムは、水道蛇口に接続する水の取り入れ装置１、水流へ空気を混入するエジェクター６、エジェクターで混入した空気をマイクロバブルに発泡する共鳴発泡装置８、空気マイクロバブルを真空キャビテーションで破砕する真空キャビテーションポンプ１０、空気ウルトラファインバブルを一時蓄え常時一定圧力で畜舎へ供給するウルトラファインバブル水貯留耐圧タンク１８、個々の動物給水装置と空気ウルトラファインバブル通導パイプ１９で構成される。空気のウルトラファインバブル水は、飼育中の個々の動物が吸飲装置２０から吸飲する。水の吸飲に伴い、空気ウルトラファインバブル水貯留耐圧タンク１８内の水が一定量に減少した段階で、自動的に供給する。【選択図】図１
2017195869.tif 000002
【特許請求の範囲】
【請求項１】
水道蛇口に接続する水の取り入れ装置と、
水をエジェクターへ送るパイプと、
水圧センサースイッチから送られる信号で空気吸入開閉装置を作動する装置と、
水流へ空気を混入するエジェクターと、
エジェクターで混入した空気をマイクロバブルに発泡する共鳴発泡装置と、
空気マイクロバブルを真空キャビテーションで破砕する真空キャビテーションポンプと、
真空キャビテーションで破砕した空気ウルトラファインバブルを通導するパイプと、
空気ウルトラファインバブルを一時蓄え常時一定圧力で畜舎へ供給する加圧蓄水タンクと、
１次ポンプ及び、２次ポンプ及び、空気開閉装置を作動する加圧蓄水タンク付設の水圧センサースイッチと、
加圧蓄水タンクから各畜舎及び個々の家畜給水器へ配水するパイプと、
個々の家畜給水器とからなり、
水道蛇口からの水を空気のウルトラファインバブル水に変え、多頭飼育中の個々の動物へ、
必要に応じて自動的に供給することを特徴とする畜舎への空気ウルトラファインバブル水製造自動供給配水装置。
【請求項２】
水源又は、水道パイプに接続する水の取り入れるパイプ装置と、
水流に強い噴射圧力を発生する１次ポンプと
水圧センサースイッチから送られる信号で１次ポンプを作動する装置と、
水圧センサースイッチから送られる信号で空気吸入開閉装置を作動する装置と、
水流へ空気を混入するエジェクターと、
エジェクターで混入した空気をマイクロバブルに発泡する共鳴発泡装置と、
空気マイクロバブルを真空キャビテーションで破砕する２次真空キャビテーションポンプと、
真空キャビテーションで破砕した空気ウルトラファインバブルを通導するパイプと、
空気ウルトラファインバブルを蓄え常時一定圧力で供給する加圧蓄水タンクと、
１次ポンプ及び、２次真空キャビテーションポンプ及び、空気開閉装置を作動する加圧蓄水タンクの水圧センサースイッチと、
加圧蓄水タンクから各畜舎及び個々の家畜給水器へ配水するパイプと、
個々の家畜給水器とからなり、
水源からの水を空気のウルトラファインバブル水に変え、多頭飼育中の個々の動物へ必要に応じて自動的に供給することを特徴とする畜舎の空気ウルトラファインバブル水製造自動供給配水装置。
【請求項３】
水道蛇口又は、水道管に接続する水の取り入れ装置と、
水をエジェクターへ送るパイプと、
水素ガス供給装置と、
水素ガス定圧定量調整装置と、
水素ガス供給装置からのガスの脱臭洗浄装置と、
脱臭装置からエジェクターへ水素ガスを通導する金属製のガスパイプと、
水圧センサースイッチから送られる信号で水素ガス供給防爆開閉装置を作動する装置と、
水道蛇口からの水流へ水素ガスを混入するエジェクターと、
エジェクターで混入した水素ガスを水素マイクロバブルに発泡する共鳴発泡装置と、
発生した水素マイクロバブルを真空キャビテーションで破砕してウルトラファインバブル水素水にする真空キャビテーションポンプと、
ポンプ及び、防爆水素ガス開閉装置を作動する水圧センサースイッチと、
水圧センサースイッチの信号をポンプ及び、防爆水素ガス開閉装置へ伝達するリード線と、
真空キャビテーションで破砕したウルトラファインバブル水素水を通導するパイプと、
共鳴発泡装置までの水素ガス供給装置全系統を覆い外部と遮断保護する防災ケースと、
防災ケース内を地震及び火災から守るスプリンクラーを有する自動散水冷却装置と、
付設自動散水冷却装置と接続する火災及び地震報知機と、
火災及び地震報知機の信号を自動散水冷却装置へ接続するリード線と、
真空キャビテーションで破砕した水素ウルトラファインバブルを通導するパイプと、
蓄水タンクから各給水蛇口へ配水するパイプと、
水素ウルトラファインバブル水供給の開閉栓を有する給水蛇口とからなり、
水道蛇口からの水をウルトラファインバブル水素水へ安全に変え、必要箇所へ自動的に分配供給を可能とすることを特徴とするウルトラファインバブル水素水製造自動供給配水装置。
【請求項４】
水源又は、水道パイプに接続する水の取り入れるパイプ装置と、
水流に強い噴射圧力を発生する１次ポンプと
水圧センサースイッチから送られる信号で１次ポンプを作動する装置と、
水素ガス供給装置と、
水素ガス定圧定量調整装置と、
水素ガス供給装置からのガスの脱臭洗浄装置と、
脱臭装置からエジェクターへ水素ガスを通導する金属製のガスパイプと、
水圧センサースイッチから送られる信号で水素ガス供給防爆開閉装置を作動する装置と、
水流へ水素ガスを混入するエジェクターと、
エジェクターで混入した水素ガスを水素マイクロバブルに発泡する共鳴発泡装置と、
水素マイクロバブルを真空キャビテーションで破砕してウルトラファインバブル水素水にする２次真空キャビテーションポンプと、
１次ポンプ及び、２次真空キャビテーションポンブ及び、防爆水素ガス開閉装置を作動する水圧センサースイッチと、
水圧センサースイッチの信号を１次ポンプ及び、２次真空キャビテーションポンプ及び、防爆水素ガス開閉装置へ伝達するリード線と、
真空キャビテーションで破砕したウルトラファインバブル水素水を通導するパイプと、
共鳴発泡装置までの水素ガス供給装置全系統を覆い外部と遮断保護する防災ケースと、
防災ケース内を地震及び火災から守るスプリンクラーを有する自動散水冷却装置と、
付設自動散水冷却装置と接続する火災及び地震報知機と、
火災及び地震報知機の信号を自動散水冷却装置へ接続するリード線と、
真空キャビテーションで破砕した水素ウルトラファインバブルを通導するパイプと、
蓄水タンクから各給水蛇口へ配水するパイプと、
水素ウルトラファインバブル水供給の開閉栓を有する給水蛇口とからなり、
水源からの水をウルトラファインバブル水素水へ安全に変え、必要箇所へ自動的に分配供給を可能とすることを特徴とするウルトラファインバブル水素水製造自動供給配水装置。
【請求項５】
ウルトラファインバブル水製造装置の蛇口への配水に際し、末端の蛇口の「開」でスイッチ「入」、末端の蛇口の「閉」でスイッチ「切」となる水圧感知センサーで、
天井部移動電極静止板と、
上面移動電極板と、
上面移動電極板接続のリード線と、
下面移動電極板接着・放離作動の抱え込み爪の抱鉤爪装置と、
上面・下面移動電極板支持移動柱と、
下面移動電極板と、
下面移動電極板接続のリード線と、
下面移動電極板引き戻しスプリングと、
上面・下面移動電極板の作動制御基盤と、
上面・下面移動電極板支持移動柱押し下げスプリングと、
上面・下面移動電極板支持移動柱の支持基盤と、
上面・下面移動電極板支持移動柱の支持基盤を上下させる蛇腹伸縮タンクと、
生成ウルトラファインバブル水貯留耐圧タンク圧で出入する水と、
加圧減圧センサースイッチと生成ウルトラファインバブル水貯留耐圧タンクの接続部と
を有することを特徴とするウルトラファインバブル水配水水圧センサー装置。
【請求項６】
ウルトラファインバブル水素水自動給配水装置の水素供給装置の地震及び火災に対する水素安全供給装置で、
水素ガスボンベ保護ケースと、
水素ガスボンベと、
ガス減圧装置と、
ガス消臭ろ過装置と、
防爆自動水素ガス開閉装置と、
地震・火災の信号で作動するケース内又は、外のスプリンクラーと、
スプリンクラー自動開閉装置と、
地震・火災の信号伝達リード線と、
地震・火災報知機センサーと、
スプリンクラー給水パイプとからなり、
地震・火災の信号の作動によってケース内又は、外のスプリンクラーが作動してケースを冷却することを特徴とする安全自動水素供給装置。
【発明の詳細な説明】
【技術分野】
【０００１】  本発明は、畜産用空気のウルトラファインバブル水自動給配水装置と温泉・医療用のウルトラファインバブル水素水自動給配水装置に関する。
【背景技術】
【０００２】  空気のウルトラファインバブルは、動物の呼吸代謝を旺盛にし、成長促進に著しい効果を有する。しかし、動物に対する空気のウルトラファインバブルの供給試験は、少数飼育の場合は手動で必要に応じ供給することはできるが、多頭飼育の場合は不可能である。従って、養鶏、養豚、乳牛、肥育牛いずれの大規模飼育施設においても、空気のウルトラファインバブル水の自動給配水は行われていない。
水素のウルトラファインバブルは、人体に発生する活性酸素を消去し、細胞の老化を防止し、活性酸素に伴う各種の疾病の予防に効果がある。また、がん細胞の発生抑制にも効果があることが知られている。しかし、ウルトラファインバブル水素水の製造は水素の危険性を伴うので常時熟練した技術者がそばに付いて製造する必要がある。そのため、大規模な温泉、医療施設、介護施設においても、水素のウルトラファインバブルの自動供給配水は行われていない。【０００３】文献１は、当出願者が発明した「共鳴発泡と真空キャビテーションによる酸化性ラジカル又は、還元性ラジカルを有するウルトラファインバブル水の製造方法及び、ウルトラファインバブル水製造装置」である。
この特許では、空気のウルトラファインバブルの製造においては、加圧貯留タンクと減圧センサーがないので、畜舎において不定期に飲水する各家畜への自動給配水をすることができない。また、温泉・医療施設において抗酸化機能性水を自動供給する場合においては、常時不定期に蛇口毎に水の使用が起こること、減圧センサー、地震・火災に対する水素供給装置への安全対策を必要とすることで、文献１には装備がなく、常時安全に自動給配水をすることができない。
本出願では、畜舎において不定期に飲水する各家畜へ空気のウルトラファインバブル水の自動給配水を行い、各蛇口へ常時安全に自動給配水することを可能としている。
さらに、温泉・医療施設において水素のウルトラファインバブル水の抗酸化機能性水を安全に自動給配水することを可能としている。【０００４】
【特許文献１】特願２０１５−１６３２２１
【発明が解決しようとする課題】
【０００５】  空気、酸素によるウルトラファインバブルは、生体の代謝を促進するので、作物の栽培、栽培漁業、養鶏、養豚、牛の肥育等で、生体の成長促進が行われ、短時日のうちに加齢が進み大きくなるのが早く、飼料の供給が少なくて済み、経済効果が大ききことが判明している。その中で、養鶏、養豚、牛の肥育等では、各個体ごとに必要に応じ、空気のウルトラファインバブル水を自動供給することが課題である。
ウルトラファインバブル水素水は、生体内で抗酸化性の機能を有し、アンチエイジングや生活習慣病の予防、ガンの予防に効果があることが知られる。
特に老人の老化防止、健康増進にはウルトラファインバブル水素水は今後欠かせないものになると考えられる。
病院、温泉、療養所、介護施設では、抗酸化水のウルトラファインバブル水素水を常時自動的に供給することにより、利便性が高まるとともに、より機能性の高い抗酸化機能性水を新鮮な処理水で供給することが課題である。
さらに、水素ガスを使用するので、これら施設では地震、火災等の不測の事態に対しても、安全性を高く保つことが課題である。
【課題を解決するための手段】
＜水道蛇口からの水を空気ウルトラファインバブル水にする自動給配水装置＞
【０００６】図１には、水道からの空気ウルトラファインバブル水家畜用自動供給装置図を示した。
水道蛇口に接続する空気のウルトラファインバブルを個々の動物へ自動給水するためには、装置が常時作動する必要はないので、一旦製造したウルトラファインバブル水を加圧給水タンクへ蓄え、個々の動物の飲用に伴ってウルトラファインバブル水が一定量に減少した段階で、次のウルトラファインバブル水製造を行う方法が最も効果的と考え採用している。
その理由は、ウルトラファインバブル製造装置を常時動稼働させると機械の損耗が起こり、経済的損失が多いことによる。また、空気のウルトラファインバブルは１週間以上安定に存在する。加圧給水タンクを用いることにより、ウルトラファインバブル製造装置を常時動かすことなく、間断的に作動させれば機械の破損も少なく、無駄な電力の使用も節約できる。
水道蛇口から供給する水で自動給水する場合の装置のシステムは、水道蛇口に接続する水の取り入れ装置１、水流へ空気を混入するエジェクター６、エジェクターで混入した空気をマイクロバブルに発泡する共鳴発泡装置８、空気マイクロバブルを真空キャビテーションで破砕する真空キャビテーションポンプ１０、空気ウルトラファインバブルを一時蓄え常時一定圧力で畜舎へ供給するウルトラファインバブル水貯留耐圧タンク１８、個々の動物給水装置と空気ウルトラファインバブル通導パイプ１９で構成される。
空気のウルトラファインバブル水は、飼育中の個々の動物が吸飲装置２０から吸飲する。水の吸飲に伴い、空気ウルトラファインバブル水貯留耐圧タンク１８内の水が一定量に減少した段階で、加圧蓄水タンクに付設する加圧減圧センサースイッチ１３が働き自動的に供給する。
装置の作動は加圧蓄水タンク１８に付設する加圧減圧センサースイッチ１３から送られる信号で、真空キャビテーションポンプ１０を作動させ、製造した空気ウルトラファインバブル水貯留耐圧タンク１８に貯水する。
＜水道管・地下水等の水源の水を空気ウルトラファインバブル水にする自動供給配水装置＞
【０００７】図２には、水源からの自吸式空気ウルトラファインバブル水家畜用自動供給装置図を示した。
水道管・地下水に接続する空気のウルトラファインバブルを個々の動物へ自動給水する場合も、装置が常時作動する必要はないので、一旦製造したウルトラファインバブル水を加圧給水タンクへ蓄え、個々の動物の飲用に伴ってウルトラファインバブル水が一定量に減少した段階で、次のウルトラファインバブル水製造を行う方法が最も効果的と考え採用している。
その理由は、ウルトラファインバブル製造装置を常時動稼働させると機械の損耗が起こり、経済的損失が多いことによる。また、空気のウルトラファインバブルは１週間以上安定に存在すること、加圧給水タンクを用いることにより、ウルトラファインバブル製造装置を常時動かすことなく、間断的に作動させれば機械の破損も少なく、無駄な電力の使用もなくなる。
水道管・地下水から供給する水で自動給水する場合の空気ウルトラファインバブル水装置のシステムは、水道蛇口に接続する水の取り入れ装置１、１次ポンプ３、水流へ空気を混入するエジェクター６、エジェクターで混入した空気をマイクロバブルに発泡する共鳴発泡装置８、空気マイクロバブルを真空キャビテーションで破砕する真空キャビテーションポンプ１０、空気ウルトラファインバブルを一時蓄え常時一定圧力で畜舎へ供給するウルトラファインバブル水貯留耐圧タンク１８、個々の動物給水装置と空気ウルトラファインバブル通導パイプ１９で構成される。
空気のウルトラファインバブル水は、飼育中の個々の動物が吸飲装置２０から吸飲する。水の吸飲に伴い、空気ウルトラファインバブル水貯留耐圧タンク１８内の水が一定量に減少した段階で、加圧蓄水タンクに付設する加圧減圧センサースイッチ１３が働き自動的に供給する。
装置の作動は加圧蓄水タンク１８に付設する加圧減圧センサースイッチ１３から送られる信号で、真空キャビテーションポンプ１０を作動させ、製造した空気ウルトラファインバブル水貯留耐圧タンク１８に貯水する。
＜水道蛇口からの水を水素ウルトラファインバブル水にする自動給配水装置＞
【０００８】図３には、水道からのウルトラファインバブル水素水自動供給装置図を示した。
水道蛇口に接続するウルトラファインバブル水素水を個々の水道蛇口へ自動給水するためには、地震・火災当不慮の災難があっても、安全な水素供給装置３５を用いる必要がある。
水道蛇口から供給する水で自動給水するウルトラファインバブル水素水の供給装置場合は、水道蛇口に接続する水の取り入れ装置１、地震・火災に対応する水素ガス安全供給装置３５、水流へ水素を混入するエジェクター６、エジェクターで混入した水素をマイクロバブルに発泡する共鳴発泡装置８、空気マイクロバブルを真空キャビテーションで破砕する真空キャビテーションポンプ１０、ウルトラファインバブル水素水の通導パイプ１９、個々の配水蛇口２５、配水蛇口２５前に設置する加圧減圧センサースイッチ１３と加圧減圧センサースイッチ信号リード線１４で構成される。
装置の作動は、各配水蛇口２５を開けば、通導パイプ１９内の圧力が減衰し、加圧減圧センサースイッチ１３が作動して、その信号がリード線１４を通じて、一方は水素ガス安全供給装置３５の防爆自動水素ガス開閉装置３４へ送られ、水素ガスの供給が始まり、一方は真空キャビテーションポンプ１０を作動する。真空キャビテーションポンプ１０の作動で水流が発生し、エジェクター６で水と水素の混合が行われ、共鳴発泡装置８で水素のマイクロバブル発泡がおこる。水素マイクロバブル発泡水は、真空キャビテーションポンプ１０の減圧で数十倍に膨張し、膨張した気泡が真空キャビテーションで破砕され、ウルトラファインバブル水素水になる。
地震・火災に対応する水素ガス安全供給装置３５は、水素ガスボンベ２６、ボンベ元栓２７、ガス圧メーター２８、減圧バルブ２９、減圧ガスメーター３０、ガス流量計３１、ガスニードルバルブ３２、ガス消臭ろ過装置３３、防爆自動水素ガス開閉装置３４、地震・火災に対応する水素ガスボンベ保護ケース３５で構成されている。
水素ガスボンベ保護ケース３５の安全装置は、ケース内又は、外に設置するスプリンクラー３６、スプリンクラー自動開閉装置３７、地震・火災の信号伝達リード線３８、地震・火災報知機センサー３９、スプリンクラー給水パイプ４０で構成されている。
＜水道管・地下水等の水源の水をウルトラファインバブル水素水にする自動給配水装置＞
【０００９】図４には、水源からの自吸式ウルトラファインバブル水素水自動供給装置図を示した。
水道管・地下水等の水源に接続する場合も、ウルトラファインバブル水素水を個々の水道蛇口へ自動給水するためには、地震・火災当不慮の災難があっても、安全な水素供給装置３５を用いる必要がある。
水道管・地下水等の水源から供給する水で自動給水するウルトラファインバブル水素水供給装置の場合は、水の取り入れ装置１、吸水パイプ２、１次ポンプ３、地震・火災に対応する水素ガス安全供給装置３５、水流へ水素を混入するエジェクター６、エジェクターで混入した水素をマイクロバブルに発泡する共鳴発泡装置８、空気マイクロバブルを真空キャビテーションで破砕する真空キャビテーションポンプ１０、ウルトラファインバブル水素水配水通導パイプ１９、個々の配水蛇口２５、配水蛇口２５前に設置する加圧減圧センサースイッチ１３と加圧減圧センサースイッチ信号リード線１４で構成される。
装置の作動は、各配水蛇口２５を開けば、通導パイプ１９内の圧力が減衰し、加圧減圧センサースイッチ１３が作動して、その信号がリード線１４を通じて、一方は水素ガス安全供給装置３５の防爆自動水素ガス開閉装置３４へ送られ、水素ガスの供給が始まり、一方は真空キャビテーションポンプ１０を作動する。真空キャビテーションポンプ１０の作動で水流が発生し、エジェクター６で水と水素の混合が行われ、共鳴発泡装置８で水素のマイクロバブル発泡がおこる。水素マイクロバブル発泡水は、真空キャビテーションポンプ１０の減圧で数十倍に膨張し、膨張した気泡が真空キャビテーションで破砕され、ウルトラファインバブル水素水になる。
水道管・地下水等の水源の水をウルトラファインバブル水素水にする場合に於いても、
地震・火災に対応する水素ガス安全供給装置３５は、水素ガスボンベ２６、ボンベ元栓２７、ガス圧メーター２８、減圧バルブ２９、減圧ガスメーター３０、ガス流量計３１、ガスニードルバルブ３２、ガス消臭ろ過装置３３、防爆自動水素ガス開閉装置３４、地震・火災に対応する水素ガスボンベ保護ケース３５で構成されている。
水素ガスボンベ保護ケース３５の安全装置は、ケース内又は、外に設置するスプリンクラー３６．スプリンクラー自動開閉装置３７、地震・火災の信号伝達リード線３８、地震・火災報知機センサー３９、スプリンクラー給水パイプ４０で構成されている。
その作動は、地震・火災が発生すれば、地震・火災報知機センサー３９からの信号で、防爆自動水素ガス開閉装置３４が閉塞し、保護ケース３５に設置するスプリンクラー自動開閉装置３７が作動してスプリンクラーが開いて水を噴霧して、保護ケース３５内を冷却し、ガスボンベの破損爆発を防止する。
＜自動ウルトラファインバブル水供給用加圧減圧センサースイッチ＞
【００１０】図５には、自動ウルトラファインバブル水供給用加圧減圧センサースイッチの図を示した。
加圧減圧センサースイッチの基本構造は、加圧減圧センサースイッチボックス１３内で水の侵入・排出によって上下する蛇腹伸縮タンクが作動し、蛇腹伸縮タンクの動きと接続する上面・下面移動電極板支持移動柱の支持基盤が上下して、上面・下面移動電極板の作動制御基盤を動かし、電極の接触・離脱によってスイッチ機能を有している。
ボックス１３内の装置は、天井部移動電極静止板４１、上面移動電極板４２、上面移動電極板接続のリード線４３、下面移動電極板接着・放離作動の抱え込み爪（抱鉤爪）装置４４、上面・下面移動電極板支持移動柱４５、下面移動電極板４６、下面移動電極板接続のリード線４７、下面移動電極板引き戻しスプリング４８、上面・下面移動電極板の作動制御基盤４９、上面・下面移動電極板支持移動柱押し下げスプリング５０、上面・下面移動電極板支持移動柱の支持基盤５１、上面・下面移動電極板支持移動柱の支持基盤を上下させる蛇腹伸縮タンク５２、加圧減圧センサースイッチと生成ウルトラファインバブル水貯留耐圧タンクの接続部５４で構成されている。
上面・下面移動電極板支持移動柱押し下げスプリング５０は、上面・下面移動電極板の作動制御基盤４９を起点に蛇腹伸縮タンク５２の減圧収縮に際し、上面・下面移動電極板支持移動柱の支持基盤５１の押し下げに作用する。
＜加圧減圧センサースイッチ各部品の説明＞
【００１１】天井部移動電極静止板４１は、加圧減圧センサースイッチボックス１３の天井部に設置する鉄板で、上面移動電極板４２が天井に押し付けられた時、下面移動電極板接着・放離作動の抱え込み爪（抱鉤爪）装置４４を両側へ開く機能がある。
上面移動電極板４２は、上側の電極で両側に下面移動電極板抱え込み爪装置４４を装備し、上面・下面移動電極板支持移動柱４５上に設置され、移動柱４５と共に上下する。
上面移動電極板接続のリード線４３は、上面の電極の通電リード線。
下面移動電極板接着・放離作動の抱え込み爪（抱鉤爪）装置４４は、上面移動電極板４２の両端に設置され、ばねと梃の原理で天井部移動電極静止板４１に到達すると両側に開く構造である。
上面・下面移動電極板支持移動柱４５は、上面・下面移動電極板支持移動柱の支持基盤５１上に設置され、蛇腹伸縮タンク５２の水圧の変化で上下に移動する。
下面移動電極板４６は、上面・下面移動電極板の作動制御基盤４９上に、下面移動電極板引き戻しスプリング４８を介して固定され、上面移動電極板４２の抱え込み爪装置４４の結着・離脱によって上下に移動する。上面・下面移動電極板支持移動柱４５とは繋がっていない。
下面移動電極板接続のリード線４７は、下面移動電極板４６の通電リード線。
下面移動電極板引き戻しスプリング４８は、一方を下面移動電極板４６、一方を上面・下面移動電極板の作動制御基盤４９と結着し、下面移動電極板４６と抱え込み爪装置４４の結着による電極板４６の上昇に伴って伸び、抱え込み爪装置４４の離脱によって電極板４６を引き戻す機能を有している。
上面・下面移動電極板の作動制御基盤４９は、加圧減圧センサースイッチボックス１３内で唯一固定された基盤で、上面・下面移動電極板支持移動柱の支持基盤５１と押し下げスプリング５０、を介して繋がり、各部品の移動性を安定に支持する基盤である。
上面・下面移動電極板支持移動柱押し下げスプリング５０は、一方を上面・下面移動電極板の作動制御基盤４９と、一方を上面・下面移動電極板支持移動柱の支持基盤５１と決着し、蛇腹伸縮タンク５２の水圧の変化に伴う上下移動を上面・下面移動電極板支持移動柱の支持基盤５１を下へ押し下げることによって、移動電極板を円滑に移動させる機能を有する。
上面・下面移動電極板支持移動柱の支持基盤５１は、上面を押し下げスプリング５０と決着し、下面を蛇腹伸縮タンク５２と接し、上に上面・下面移動電極板支持移動柱４５を固定し、蛇腹伸縮タンク５２の伸縮によって上下に移動する。
上面・下面移動電極板支持移動柱の支持基盤を上下させる蛇腹伸縮タンク５２は、加圧蓄水タンク１８又は、通水パイプの水圧の変化によって、上下に伸縮を繰り返し、上面・下面移動電極板支持移動柱の支持基盤５１の上下移動の動力原として機能する。
＜自動ウルトラファインバブル水供給用加圧減圧センサースイッチ作動機作＞
【００１２】図６には、自動ウルトラファインバブル水供給用加圧減圧センサースイッチ作動機作の順序を示した。スイッチのオン・オフは、上面移動電極板４２と下面移動電極板４６の接合と離脱によって行われる。
図６−１では、上面移動電極板４２と下面移動電極板４６の接合し、スイッチがオンになると、水圧が上がり、蛇腹伸縮タンクが膨張し、両電極板を支持している上面・下面移動電極板の作動制御基盤４９が上昇する。図６−２、図６−３は上面・下面移動電極板の作動制御基盤４９が上昇を続けている。
図６−４は、上面・下面移動電極板の作動制御基盤４９が上昇すれば、両電極板は天井部移動電極静止板４１と接触する。
図６−５は、天井部移動電極静止板４１は、加圧減圧センサースイッチボックス１３の最上部に当たり、この板部に水圧で蛇腹伸縮タンクが膨張し、上面・下面移動電極板支持移動柱の支持基盤が上昇し切って、上面移動電極板４２が移動電極静止板４１へ押し付けられると下面移動電極板接着・放離作動の抱え込み爪（抱鉤爪）装置４４が両側に開く構造になっている。
下面移動電極板接着・放離作動の抱え込み爪（抱鉤爪）装置４４が両側に開くと、下面移動電極板４６が電極引き戻しスプリング４８に引っ張れて、上面移動電極板４２から離れて下部定位置まで下がり、スイッチが切れた状態になる。
図６−６、図６−７は、上面・下面移動電極板の作動制御基盤４９が動物の水飲用による、ウルトラファインバブル水貯留耐圧タンク１８の水圧低下やウルトラファインバブル水素水の配水蛇口２５の開放によって、蛇腹伸縮タンク内の水圧が低下して、上面・下面移動電極板支持移動柱の支持基盤５１が下降を続けている状態を示す。
図６−８は、上面・下面移動電極板支持移動柱の支持基盤５１が下降して、上下両電極板が極めて接近した状態を示す。
上面・下面移動電極板支持移動柱の支持基盤５１が下降し切って、上下両電極板がが接合すれば、図６−１の状態になり、再度スイッチがオンとなり、図６−１以後の順序で両電極板が上昇する。この両電極板の接合・脱着によって装置の自動化が行われる。
【産業上利用の可能性】
【００１３】  空気のウルトラファインバブルは、呼吸代謝を活性化することによって、動物の生長を大きく促進する。その効果は、養鶏、養豚、牛の肥育において、成長促進に伴う肥育期間短縮（飼料代の低減）、免疫増強作用（耐病性向上）、肉質の改善（臭味の減少、あっさり脂質）、鶏においては産卵量の安定、乳牛においては産乳量の安定と品質向上、ゲップの減少等に寄与し、現在の給水装置に本装置を接続するだけで、簡便に技術向上を果たすことができる。
水素のウルトラファインバブルは、人体の活性酸素を消去することを可能とし、老化防止（アンチエイジ）、ガン予防、生活習慣病予防、アトピー性皮膚炎の予防並びに治療、アレルギー体質改善等の効果がある。
病院、リハビリ施設、養護施設、老人ホーム、スポーツ施設、個人家庭等に本装置を設置すれば、安全に手軽にウルトラファインバブル水素水を供給し、健康増進が図れる。
【図面の簡単な説明】
【００２４】
【図１】水道からの空気ウルトラファインバブル水家畜用自動供給装置。
【図２】水源からの自吸式空気ウルトラファインバブル水家畜用自動供給装置。
【図３】水道からのウルトラファインバブル水素水自動供給装置。
【図４】水源からの自吸式ウルトラファインバブル水素水自動供給装置。
【図５】自動ウルトラファインバブル水供給用加圧減圧センサースイッチ。
【図６】加圧減圧センサースイッチのオン・オフに係る自動作動機作の図解。
【符号の説明】１    水源又は水道
２    吸水パイプ
３    １次ポンプ
４    １次ポンプ作動モーター
５    エジェクターへの導水パイプ
６    気液混合用エジェクター
７    共鳴発泡装置への導水パイプ
８    共鳴発泡装置
９    ２次ポンプへの導水パイプ（マイクロバブル送水）
１０  ２次ポンプ（真空キャビテーション）
１１  ２次ポンプ作動モーター
１２  ウルトラファインバブル導水パイプ
１３  加圧減圧センサースイッチ（又はセンサースイッチボックス）
１４  加圧減圧センサースイッチの電源リード線
１５  電源ソケット
１６  電動モーター、水素ガス防爆開閉装置への情報伝達リード線
１７  ウルトラファインバブル生成装置フレーム台
１８  生成ウルトラファインバブル水貯留耐圧タンク
１９  ウルトラファインバブル水配水パイプ
２０  動物への自動吸水装置
２１  空気供給口
２２  低圧ガスニードルバルブ
２３  減圧計
２４  空気・ガス流量計
２５  ウルトラファインバブル水素水給水蛇口
２６  水素ガスボンベ
２７  ボンベ元栓
２８  ガス圧メーター
２９  減圧バルブ
３０  減圧ガスメーター
３１  ガス流量計
３２  ガスニードルバルブ
３３  ガス消臭ろ過装置
３４  防爆自動水素ガス開閉装置
３５  地震・火災に対応する水素ガス安全供給装置及び水素ガスボンベ保護ケース
３６  地震・火災の信号で作動するケース内又は、外のスプリンクラー
３７  スプリンクラー自動開閉装置
３８  地震・火災の信号伝達リード線
３９  地震・火災報知機センサー
４０  スプリンクラー給水パイプ
＜加圧減圧センサースイッチ部品＞
４１  天井部移動電極静止板
４２  上面移動電極板
４３  上面移動電極板接続のリード線
４４  下面移動電極板接着・放離作動の抱え込み爪（抱鉤爪）装置
４５  上面・下面移動電極板支持移動柱
４６  下面移動電極板
４７  下面移動電極板接続のリード線
４８  下面移動電極板引き戻しスプリング
４９  上面・下面移動電極板の作動制御基盤
５０  上面・下面移動電極板支持移動柱押し下げスプリング
５１  上面・下面移動電極板支持移動柱の支持基盤
５２  上面・下面移動電極板支持移動柱の支持基盤を上下させる蛇腹伸縮タンク
５３  生成ウルトラファインバブル水貯留耐圧タンク圧で出入する水
５４  加圧減圧センサースイッチと生成ウルトラファインバブル水貯留耐圧タンクの接続部
【図１】
2017195869.tif 000003
【図２】
2017195869.tif 000004
【図３】
2017195869.tif 000005
【図４】
2017195869.tif 000006
【図５】
2017195869.tif 000007
【図６】
2017195869.tif 000008
【手続補正書】
【提出日】平成28年11月21日(2016.11.21)
【手続補正１】
【補正対象書類名】特許請求の範囲
【補正対象項目名】全文
【補正方法】変更
【補正の内容】
【特許請求の範囲】
【請求項１】
水道蛇口に接続する水の取り入れ装置と、
水をエジェクターへ送るパイプと、
ウルトラファインバブル水貯留耐圧タンクに付設する加圧減圧センサースイッチから送られる信号で空気吸入開閉装置を作動する装置と、
水流へ空気を混入するエジェクターと、
エジェクターで混入した空気をマイクロバブルに発泡する共鳴発泡装置と、
空気マイクロバブルを真空キャビテーションで破砕する真空キャビテーションポンプと、
真空キャビテーションで破砕した空気ウルトラファインバブルを通導するパイプと、
空気ウルトラファインバブルを一時蓄え常時一定圧力で畜舎へ供給するウルトラファインバブル水貯留耐圧タンクと、
１次ポンプ及び、２次ポンプ及び、空気開閉装置を作動するウルトラファインバブル水貯留耐圧タンクに付設する加圧減圧センサースイッチと、
ウルトラファインバブル水貯留耐圧タンクから各畜舎及び個々の家畜給水器へ配水するパイプと、
個々の家畜給水器とからなり、
水道蛇口からの水を空気のウルトラファインバブル水に変え、多頭飼育中の個々の動物によって吸飲され、ウルトラファインバブル水貯留耐圧タンクの水が減水し、ウルトラファインバブル水貯留耐圧タンクに付設する加圧減圧センサースイッチが自動的に作動することを特徴とする
畜舎への空気ウルトラファインバブル水製造自動供給配水装置。
【請求項２】
水源又は、水道パイプに接続する水の取り入れるパイプ装置と、
水流に強い噴射圧力を発生する１次ポンプと
ウルトラファインバブル水貯留耐圧タンクに付設する加圧減圧センサースイッチから送られる信号で１次ポンプを作動する装置と、
ウルトラファインバブル水貯留耐圧タンクに付設する加圧減圧センサースイッチから送られる信号で空気吸入開閉装置を作動する装置と、
水流へ空気を混入するエジェクターと、
エジェクターで混入した空気をマイクロバブルに発泡する共鳴発泡装置と、
空気マイクロバブルを真空キャビテーションで破砕する２次真空キャビテーションポンプと、
真空キャビテーションで破砕した空気ウルトラファインバブルを通導するパイプと、
空気ウルトラファインバブルを蓄え常時一定圧力で供給する加圧蓄水タンクと、
１次ポンプ及び、２次真空キャビテーションポンプ及び、空気開閉装置を作動するウルトラファインバブル水貯留耐圧タンクに付設する加圧減圧センサースイッチと、
ウルトラファインバブル水貯留耐圧タンクから各畜舎及び個々の家畜給水器へ配水するパイプと、
個々の家畜給水器とからなり、
水源からの水を空気のウルトラファインバブル水に変え、多頭飼育中の個々の動物によって吸飲され、ウルトラファインバブル水貯留耐圧タンクの水が減水し、ウルトラファインバブル水貯留耐圧タンクに付設する加圧減圧センサースイッチが自動的に作動することを特徴とする畜舎の空気ウルトラファインバブル水製造自動供給配水装置。
【手続補正２】
【補正対象書類名】明細書
【補正対象項目名】全文
【補正方法】変更
【補正の内容】
【発明の詳細な説明】
【技術分野】
【０００１】  本発明は、畜産用空気のウルトラファインバブル水自動給配水装置に関する。
【背景技術】
【０００２】  空気のウルトラファインバブルは、動物の呼吸代謝を旺盛にし、成長促進に著しい効果を有する。しかし、動物に対する空気のウルトラファインバブルの供給試験は、少数飼育の場合は手動で必要に応じ供給することはできるが、多頭飼育の場合は不可能である。従って、養鶏、養豚、乳牛、肥育牛いずれの大規模飼育施設においても、空気のウルトラファインバブル水の自動給配水は行われていない。【０００３】文献１は、当出願者が発明した「共鳴発泡と真空キャビテーションによる酸化性ラジカルを有するウルトラファインバブル水の製造方法及び、ウルトラファインバブル水製造装置」である。
この特許では、空気のウルトラファインバブルの製造においては、加圧貯留タンクと減圧センサーがないので、畜舎において不定期に飲水する各家畜への自動給配水をすることはできない。
本出願では、畜舎において不定期に飲水する各家畜へ空気のウルトラファインバブル水の加圧自動給配水が必要であり、各蛇口へ常時自動給配水することを可能とする。【０００４】
【特許文献１】特願２０１５−１６３２２１
【発明が解決しようとする課題】
【０００５】  空気、酸素によるウルトラファインバブルは、生体の代謝を促進するので、養鶏、養豚、牛の肥育等で、生体の成長促進が行われ、短時日のうちに加齢が進み大きくなるのが早く、飼料の供給が少なくて済み、経済効果が大ききことが判明している。
その中で、養鶏、養豚、牛の肥育等では、各個体ごとに必要に応じ、空気のウルトラファインバブル水を自動供給することが課題である。
【課題を解決するための手段】
当発明者が開発した特願２０１５−１６３２２１の共鳴発泡と真空キャビテーションによるウルトラファインバブル水製造装置をウルトラファインバブル水貯留耐圧タンクに貯留し、加圧減圧センサースイッチによりコントロールし、給水作動を自動化する。
＜水道蛇口からの水を空気ウルトラファインバブル水にする自動給配水装置＞
【０００６】図１には、水道からの空気ウルトラファインバブル水家畜用自動供給装置図を示した。
水道蛇口に接続する空気のウルトラファインバブルを個々の動物へ自動給水するためには、装置が常時作動する必要はないので、一旦製造したウルトラファインバブル水を加圧給水タンクへ蓄え、個々の動物の飲用に伴ってウルトラファインバブル水が一定量に減少した段階で、次のウルトラファインバブル水製造を行う方法が最も効果的と考え採用している。
その理由は、ウルトラファインバブル製造装置を常時動稼働させると機械の損耗が起こり、経済的損失が多いことによる。また、空気のウルトラファインバブルは１週間以上安定に存在する。
加圧給水タンクを用いることにより、ウルトラファインバブル製造装置を常時動かすことなく、間断的に作動させれば機械の破損も少なく、無駄な電力の使用も節約できる。
水道蛇口から供給する水で自動給水する場合の装置のシステムは、水道蛇口に接続する水の取り入れ装置１、水流へ空気を混入するエジェクター６、エジェクターで混入した空気をマイクロバブルに発泡する共鳴発泡装置８、空気マイクロバブルを真空キャビテーションで破砕する真空キャビテーションポンプ１０、空気ウルトラファインバブルを一時蓄え常時一定圧力で畜舎へ供給するウルトラファインバブル水貯留耐圧タンク１８、個々の動物給水装置と空気ウルトラファインバブル通導パイプ１９で構成される。
空気のウルトラファインバブル水は、飼育中の個々の動物が吸飲装置２０から吸飲する。水の吸飲に伴い、空気ウルトラファインバブル水貯留耐圧タンク１８内の水が一定量に減少した段階で、加圧蓄水タンクに付設する加圧減圧センサースイッチ１３が働き自動的に供給する。
装置の作動は加圧蓄水タンク１８に付設する加圧減圧センサースイッチ１３から送られる信号で、真空キャビテーションポンプ１０を作動させ、製造した空気ウルトラファインバブル水貯留耐圧タンク１８に貯水する。
＜水道管・地下水等の水源の水を空気ウルトラファインバブル水にする自動供給配水装置＞
【０００７】図２には、水源からの自吸式空気ウルトラファインバブル水家畜用自動供給装置図を示した。
水道管・地下水に接続する空気のウルトラファインバブルを個々の動物へ自動給水する場合も、装置が常時作動する必要はないので、一旦製造したウルトラファインバブル水を加圧給水タンクへ蓄え、個々の動物の飲用に伴ってウルトラファインバブル水が一定量に減少した段階で、次のウルトラファインバブル水製造を行う方法が最も効果的と考え採用している。
その理由は、ウルトラファインバブル製造装置を常時動稼働させると機械の損耗が起こり、経済的損失が多いことによる。また、空気のウルトラファインバブルは１週間以上安定に存在すること、加圧給水タンクを用いることにより、ウルトラファインバブル製造装置を常時動かすことなく、間断的に作動させれば機械の破損も少なく、無駄な電力の使用もなくなる。
水道管・地下水から供給する水で自動給水する場合の空気ウルトラファインバブル水装置のシステムは、水道蛇口に接続する水の取り入れ装置１、１次ポンプ３、水流へ空気を混入するエジェクター６、エジェクターで混入した空気をマイクロバブルに発泡する共鳴発泡装置８、空気マイクロバブルを真空キャビテーションで破砕する真空キャビテーションポンプ１０、空気ウルトラファインバブルを一時蓄え常時一定圧力で畜舎へ供給するウルトラファインバブル水貯留耐圧タンク１８、個々の動物給水装置と空気ウルトラファインバブル通導パイプ１９で構成される。
空気のウルトラファインバブル水は、飼育中の個々の動物が吸飲装置２０から吸飲する。水の吸飲に伴い、空気ウルトラファインバブル水貯留耐圧タンク１８内の水が一定量に減少した段階で、加圧蓄水タンクに付設する加圧減圧センサースイッチ１３が働き自動的に供給する。
装置の作動は加圧蓄水タンク１８に付設する加圧減圧センサースイッチ１３から送られる信号で、真空キャビテーションポンプ１０を作動させ、製造した空気ウルトラファインバブル水貯留耐圧タンク１８に貯水する。
＜自動ウルトラファインバブル水供給用加圧減圧センサースイッチ＞
【０００８】図５には、自動ウルトラファインバブル水供給用加圧減圧センサースイッチの図を示した。
加圧減圧センサースイッチの基本構造は、加圧減圧センサースイッチボックス１３内で水の侵入・排出によって上下する蛇腹伸縮タンクが作動し、蛇腹伸縮タンクの動きと接続する上面・下面移動電極板支持移動柱の支持基盤が上下して、上面・下面移動電極板の作動制御基盤を動かし、電極の接触・離脱によってスイッチ機能を有している。
ボックス１３内の装置は、天井部移動電極静止板２５、上面移動電極板２６、上面移動電極板接続のリード線２７、下面移動電極板接着・放離作動の抱え込み爪（抱鉤爪）装置２８、上面・下面移動電極板支持移動柱２９、下面移動電極板３０、下面移動電極板接続のリード線３１、下面移動電極板引き戻しスプリング３２、上面・下面移動電極板の作動制御基盤３３、上面・下面移動電極板支持移動柱押し下げスプリング３４、上面・下面移動電極板支持移動柱の支持基盤３５、上面・下面移動電極板支持移動柱の支持基盤を上下させる蛇腹伸縮タンク３６、加圧減圧センサースイッチと生成ウルトラファインバブル水貯留耐圧タンクの接続部３８で構成されている。
上面・下面移動電極板支持移動柱押し下げスプリング３４は、上面・下面移動電極板の作動制御基盤３５を起点に蛇腹伸縮タンク３６の減圧収縮に際し、上面・下面移動電極板支持移動柱の支持基盤３５の押し下げに作用する。
＜自動ウルトラファインバブル水供給用加圧減圧センサースイッチ作動機作＞
【０００９】図４には、自動ウルトラファインバブル水供給用加圧減圧センサースイッチ作動機作の順序を示した。スイッチのオン・オフは、上面移動電極板２６と下面移動電極板３０の接合と離脱によって行われる。
図４−１では、上面移動電極板２６と下面移動電極板３０の接合し、スイッチがオンになると、水圧が上がり、蛇腹伸縮タンクが膨張し、両電極板を支持している上面・下面移動柱支持基盤３５が上昇する。図４−２、図４−３は上面・下面移動柱支持基盤３５が上昇を続けている。
図４−４は、上面・下面移動柱支持基盤３５が上昇すれば、両電極板は天井部移動電極静止板２５と接触する。
図４−５は、天井部移動電極静止板２５は、加圧減圧センサースイッチボックス１３の最上部に当たり、この板部に水圧で蛇腹伸縮タンクが膨張し、上面・下面移動電極板支持移動柱の支持基盤が上昇し切って、上面移動電極板２６が移動電極静止板２５へ押し付けられると下面移動電極板接着・放離作動の抱え込み爪（抱鉤爪）装置２８が両側に開く構造になっている。
下面移動電極板接着・放離作動の抱え込み爪（抱鉤爪）装置２８が両側に開くと、下面移動電極板３１が電極引き戻しスプリング３３に引っ張れて、上面移動電極板２７から離れて下部定位置まで下がり、スイッチが切れた状態になる。
図６−６、図６−７は、上面・下面移動柱支持基盤３５が動物の水飲用による、ウルトラファインバブル水貯留耐圧タンク１８の水圧低下やウルトラファインバブル水素水の配水蛇口２０の開放によって、蛇腹伸縮タンク内３６の水圧３７が低下して、上面・下面移動柱支持基盤３５が下降を続けている状態を示す。
図６−８は、上面・下面移動柱支持基盤３６が下降して、上下両電極板が極めて接近した状態を示す。
上面・下面移動柱支持基盤３６が下降し切って、上下両電極板がが接合すれば、図６−１の状態になり、再度スイッチがオンとなり、図６−１以後の順序で両電極板が上昇する。
この両電極板の接合・脱着によって装置の自動化が行われる。
【産業上利用の可能性】
【００１０】  空気のウルトラファインバブルは、呼吸代謝を活性化することによって、動物の生長を大きく促進する。その効果は、養鶏、養豚、牛の肥育において、成長促進に伴う肥育期間短縮（飼料代の低減）、免疫増強作用（耐病性向上）、肉質の改善（臭味の減少、あっさり脂質）、鶏においては産卵量の安定、乳牛においては産乳量の安定と品質向上、ゲップの減少等に寄与し、現在の給水装置に本装置を接続するだけで、大幅に省力化を果たすことができる。
【図面の簡単な説明】
【００１１】
【図１】水道からの空気ウルトラファインバブル水家畜用自動供給装置。
【図２】水源からの自吸式空気ウルトラファインバブル水家畜用自動供給装置。
【図３】自動ウルトラファインバブル水供給用加圧減圧センサースイッチ。
【図４】加圧減圧センサースイッチのオン・オフに係る自動作動機作の図解。
【符号の説明】１    水源又は水道
２    吸水パイプ
３    １次ポンプ
４    １次ポンプ作動モーター
５    エジェクターへの導水パイプ
６    気液混合用エジェクター
７    共鳴発泡装置への導水パイプ
８    共鳴発泡装置
９    ２次ポンプへの導水パイプ（マイクロバブル送水）
１０  ２次ポンプ（真空キャビテーション）
１１  ２次ポンプ作動モーター
１２  ウルトラファインバブル導水パイプ
１３  加圧減圧センサースイッチ（又はセンサースイッチボックス）
１４  加圧減圧センサースイッチの電源リード線
１５  電源ソケット
１６  電動モーター、水素ガス防爆開閉装置への情報伝達リード線
１７  ウルトラファインバブル生成装置フレーム台
１８  生成ウルトラファインバブル水貯留耐圧タンク
１９  ウルトラファインバブル水配水パイプ
２０  動物への自動吸水装置
２１  空気供給口
２２  低圧ガスニードルバルブ
２３  減圧計
２４  空気・ガス流量計
＜加圧減圧センサースイッチ部品＞
２５  天井部移動電極静止板
２６  上面移動電極板
２７  上面移動電極板接続のリード線
２８  下面移動電極板接着・放離作動の抱え込み爪（抱鉤爪）装置
２９  上面・下面移動電極板支持移動柱
３０  下面移動電極板
３１  下面移動電極板接続のリード線
３２  下面移動電極板引き戻しスプリング
３３  上面・下面移動電極板の作動制御基盤
３４  上面・下面移動電極板支持移動柱押し下げスプリング
３５  上面・下面移動電極板支持移動柱の支持基盤
３６  上面・下面移動電極板支持移動柱の支持基盤を上下させる蛇腹伸縮タンク
３７  生成ウルトラファインバブル水貯留耐圧タンク圧で出入する水
３８  加圧減圧センサースイッチと生成ウルトラファインバブル水貯留耐圧タンクの接続部
【手続補正３】
【補正対象書類名】図面
【補正対象項目名】全図
【補正方法】変更
【補正の内容】
【図１】
2017195869.tif 000009
【図２】
2017195869.tif 000010
【図３】
2017195869.tif 000011
【図４】
2017195869.tif 000012